(57)【要約】【課題】コストの上昇を抑えて、バックライトの他に照明を設けることを目的とする。【解決手段】液晶表示装置は、第１発光ダイオード３８及び第１ライトガイド４０と、第２発光ダイオード５０と、第２ライトガイド５２と、を有し、第１発光ダイオード３８及び第２発光ダイオード５０はフレキシブル配線基板３４に搭載され、第１ライトガイド４０は、第１発光ダイオード３８に対向する端面と、液晶表示パネル１６の下面３０に対向する表面と、を有し、第２発光ダイオード５０は、液晶表示パネル１６の上面１８及び下面３０のいずれにも重ならないように液晶表示パネル１６の隣に配置され、第２ライトガイド５２は、液晶表示パネル１６の隣で第２発光ダイオード５０に対向する受光面５８と、画像表示領域２０の外側で上面１８の上方に配置されて上面１８とは反対方向を向く発光面６０と、を有する。【選択図】図３
2012083618.tif 000002
【特許請求の範囲】
【請求項１】
画像表示領域を含む上面及び前記上面とは反対側の下面を含む液晶表示パネルと、
前記液晶表示パネルに取り付けられたフレキシブル配線基板と、
前記液晶表示パネルのバックライトを構成するための第１発光ダイオード及び第１ライトガイドと、
第２発光ダイオードと、
第２ライトガイドと、
を有し、
前記第１発光ダイオード及び前記第２発光ダイオードは、前記フレキシブル配線基板に搭載され、
前記第１ライトガイドは、前記第１発光ダイオードに対向する端面と、前記液晶表示パネルの前記下面に対向する表面と、を有し、
前記第２発光ダイオードは、前記液晶表示パネルの前記上面及び前記下面のいずれにも重ならないように、前記液晶表示パネルの隣に配置され、
前記第２ライトガイドは、前記液晶表示パネルの隣で前記第２発光ダイオードに対向する受光面と、前記画像表示領域の外側で前記上面の上方に配置されて前記上面とは反対方向を向く発光面と、を有することを特徴とする液晶表示装置。
【請求項２】
請求項１に記載された液晶表示装置において、
前記第２ライトガイドは、前記液晶表示パネルの前記上面に対向する面に遮光層を有することを特徴とする液晶表示装置。
【請求項３】
請求項２に記載された液晶表示装置において、
前記液晶表示パネルに搭載された集積回路チップをさらに有し、
前記第２ライトガイドは、前記遮光層が前記集積回路チップの上方に位置するように配置されていることを特徴とする液晶表示装置。
【請求項４】
請求項１から３のいずれか１項に記載された液晶表示装置において、
前記液晶表示パネルは、第１基板及び第２基板を有し、
前記第１基板は、前記第２基板から突出する突出部を有し、
前記第２ライトガイドは、前記第２基板を避けて、前記第１基板の前記突出部と重なるように配置されていることを特徴とする液晶表示装置。
【請求項５】
請求項１から４のいずれか１項に記載された液晶表示装置において、
前記第２ライトガイドは、前記液晶表示パネルの上方を横切る架け渡し部と、前記上面に沿った方向に前記液晶表示パネルの両隣でそれぞれ前記架け渡し部から前記液晶表示パネルの厚み方向に下がる立ち下げ部と、を有することを特徴とする液晶表示装置。
【発明の詳細な説明】
【技術分野】
【０００１】
本発明は、液晶表示装置に関する。
【背景技術】
【０００２】
液晶表示装置に組み込まれるバックライトの光源には、発光ダイオードが使用されることが多い。また、発光ダイオードを、液晶表示パネルに接続されたフレキシブル配線基板に搭載することも知られている（特許文献１）。
【先行技術文献】
【特許文献】
【０００３】
【特許文献１】特開２００９−２１６７５３号公報
【発明の概要】
【発明が解決しようとする課題】
【０００４】
液晶表示装置には、バックライトとは別に照明の配置が要求されることがあり、発光ダイオードをその光源として使用することが現実的である。また、照明に使用される発光ダイオードを、バックライトのダイオードと同じフレキシブル配線基板に搭載すれば、部品の共通化によりコスト削減を図ることができる。
【０００５】
本発明は、コストの上昇を抑えて、バックライトの他に照明を設けることを目的とする。
【課題を解決するための手段】
【０００６】
（１）本発明に係る液晶表示装置は、画像表示領域を含む上面及び前記上面とは反対側の下面を含む液晶表示パネルと、前記液晶表示パネルに取り付けられたフレキシブル配線基板と、前記液晶表示パネルのバックライトを構成するための第１発光ダイオード及び第１ライトガイドと、第２発光ダイオードと、第２ライトガイドと、を有し、前記第１発光ダイオード及び前記第２発光ダイオードは、前記フレキシブル配線基板に搭載され、前記第１ライトガイドは、前記第１発光ダイオードに対向する端面と、前記液晶表示パネルの前記下面に対向する表面と、を有し、前記第２発光ダイオードは、前記液晶表示パネルの前記上面及び前記下面のいずれにも重ならないように、前記液晶表示パネルの隣に配置され、前記第２ライトガイドは、前記液晶表示パネルの隣で前記第２発光ダイオードに対向する受光面と、前記画像表示領域の外側で前記上面の上方に配置されて前記上面とは反対方向を向く発光面と、を有することを特徴とする。本発明によれば、第２発光ダイオードを光源として、バックライトの他に照明を設けることができる。第２発光ダイオードは、バックライトの光源となる第１発光ダイオードと同じフレキシブル配線基板に搭載されるので、部品点数の増加を避けることができ、コストの上昇を抑えることができる。
【０００７】
（２）（１）に記載された液晶表示装置において、前記第２ライトガイドは、前記液晶表示パネルの前記上面に対向する面に遮光層を有することを特徴としてもよい。
【０００８】
（３）（２）に記載された液晶表示装置において、前記液晶表示パネルに搭載された集積回路チップをさらに有し、前記第２ライトガイドは、前記遮光層が前記集積回路チップの上方に位置するように配置されていることを特徴としてもよい。
【０００９】
（４）（１）から（３）のいずれか１項に記載された液晶表示装置において、前記液晶表示パネルは、第１基板及び第２基板を有し、前記第１基板は、前記第２基板から突出する突出部を有し、前記第２ライトガイドは、前記第２基板を避けて、前記第１基板の前記突出部と重なるように配置されていることを特徴としてもよい。
【００１０】
（５）（１）から（４）のいずれか１項に記載された液晶表示装置において、前記第２ライトガイドは、前記液晶表示パネルの上方を横切る架け渡し部と、前記上面に沿った方向に前記液晶表示パネルの両隣でそれぞれ前記架け渡し部から前記液晶表示パネルの厚み方向に下がる立ち下げ部と、を有することを特徴としてもよい。
【図面の簡単な説明】
【００１１】
【図１】本発明の実施形態に係る液晶表示装置を示す斜視図である。
【図２】図１に示す液晶表示装置の内部構造の一部を示す断面図である。
【図３】図１に示す液晶表示装置の内部構造の一部を示す斜視図である。
【発明を実施するための形態】
【００１２】
以下、本発明の実施形態について図面を参照して説明する。
【００１３】
図１は、本発明の実施形態に係る液晶表示装置を示す斜視図である。図１に示す液晶表示装置は、携帯端末に本発明を適用した例であり、タッチパネルインターフェース１０を有する。また、液晶表示装置の筺体１２には、少なくとも１つの押しボタン１４が設けられている。押しボタン１４は、光透過性を有する材料から構成されており、内部の光源によって点灯するようになっている。
【００１４】
図２は、図１に示す液晶表示装置の内部構造の一部を示す断面図である。図３は、図１に示す液晶表示装置の内部構造の一部を示す斜視図である。
【００１５】
液晶表示装置は、液晶表示パネル１６を有する。液晶表示パネル１６の上面１８の上に図示しないタッチパネルが載せられることでタッチパネルインターフェース１０（図１参照）が構成される。液晶表示パネル１６の上面１８は、画像が表示される画像表示領域２０を含む（図３参照）。液晶表示パネル１６は、第１基板２２及び第２基板２４（いずれもガラス基板）を有し、両者間には図示しない液晶が介在する。第１基板２２は、薄膜トランジスタ、画素電極及び配線などを含むＴＦＴ（Thin Film Transistor）基板（又はアレイ基板）であり、第２基板２４はカラーフィルタ基板である。液晶表示パネル１６の駆動方式は、IPS（In Plane Switching）方式、TN（Twisted Nematic）方式又はVA（Vertical Alignment）方式などいずれの方式であってもよく、方式に応じた電極及び配線が形成される。
【００１６】
液晶表示パネル１６の第１基板２２は、第２基板２４から突出する突出部２６を有している。液晶表示パネル１６（詳しくは突出部２６）には、液晶を駆動するためのドライバ回路を内蔵する集積回路チップ２８が搭載されている。液晶表示パネル１６の上面１８及び下面３０には、それぞれ、偏光板３２が貼り付けられている。また、液晶表示パネル１６（詳しくは突出部２６）にはフレキシブル配線基板３４が取り付けられている。フレキシブル配線基板３４は、図示しない配線パターンを有し、配線パターンが液晶表示パネル１６に電気的に接続されている。フレキシブル配線基板３４は、屈曲して、液晶表示パネル１６の上面１８の上方から下面３０の下方に延びる。
【００１７】
液晶表示装置は、液晶表示パネル１６のバックライト３６を有する。バックライト３６は、光源となる第１発光ダイオード３８を有する。第１発光ダイオード３８は、フレキシブル配線基板３４に搭載されている。第１発光ダイオード３８は、フレキシブル配線基板３４の、液晶表示パネル１６の下面３０の下方に位置している。
【００１８】
バックライト３６は、第１ライトガイド４０を有する。第１ライトガイド４０は、一般的には導光板とよばれ、点光源としての第１発光ダイオード３８の光を面光源に変換して液晶表示パネル１６に照射する。第１ライトガイド４０の端面は、第１発光ダイオード３８に対向している。第１ライトガイド４０の表面は、液晶表示パネル１６の下面３０に対向している。
【００１９】
液晶表示パネル１６と第１ライトガイド４０の間には光学シート群４２が配置されている。光学シート群４２は、拡散シート及びプリズムシートなどを含む。また、第１ライトガイド４０の下（光学シート群４２とは反対側）には反射シート４４が配置されている。
【００２０】
液晶表示装置は、例えば樹脂からなる内フレーム４６を有する。内フレーム４６に液晶表示パネル１６が取り付けられている。詳しくは、内フレーム４６は、枠状の形状を有し、枠の内側のスペースを覆うように枠の一方の面に液晶表示パネル１６が貼り付けられている。他方の面にフレキシブル配線基板３４が貼り付けられている。これらの貼り付けには両面テープ４８が使用されている。
【００２１】
液晶表示装置は、図３に示すように、第２発光ダイオード５０を有する。第２発光ダイオード５０は、フレキシブル配線基板３４に搭載されている。つまり、フレキシブル配線基板３４には、第１発光ダイオード３８及び第２発光ダイオード５０が搭載されている。また、第１発光ダイオード３８及び第２発光ダイオード５０は、フレキシブル配線基板３４の同じ側の面に搭載されている。なお、図３において、フレキシブル配線基板３４と液晶表示パネル１６の第１基板２２との接合部は省略してある。図２に示すとおり、第１発光ダイオード３８及び第２発光ダイオード５０（図２では省略）を搭載したフレキシブル配線基板３４は第１基板２２に接続している。
【００２２】
第２発光ダイオード５０は、液晶表示パネル１６の上面１８及び下面３０のいずれにも重ならないように、液晶表示パネル１６の隣（外側）に配置されている。第２発光ダイオード５０と液晶表示パネル１６が重ならないので、厚みが増加することを避けることができ、液晶表示装置の薄型化の妨げとならない。
【００２３】
液晶表示装置は、光透過性の材料からなる第２ライトガイド５２を有する。第２ライトガイド５２は、板状部材が屈曲した形状をなしている。第２ライトガイド５２は、図１に示す押しボタン１４の下に配置される。
【００２４】
第２ライトガイド５２は、液晶表示パネル１６の第２基板２４を避けて、第１基板２２の突出部２６と重なるように配置されている。第２ライトガイド５２は、液晶表示パネル１６の上方を横切る架け渡し部５４を有する。第２ライトガイド５２は、液晶表示パネル１６の上面１８に沿った方向に液晶表示パネル１６の両隣で、それぞれ、架け渡し部５４から液晶表示パネル１６の厚み方向に下がる立ち下げ部５６を有する。
【００２５】
第２ライトガイド５２は、液晶表示パネル１６の隣で、第２発光ダイオード５０に対向する受光面５８を有する。受光面５８は、立ち下げ部５６の下方向の先端面である。図３の例では、第２ライトガイド５２の両端に受光面５８が形成されている。第２ライトガイド５２は、画像表示領域２０の外側で、液晶表示パネル１６の上面１８の上方に配置されて上方向（上面１８とは反対側）を向く発光面６０を有する。第２発光ダイオード５０から受光面５８に入射した光は、発光面６０から出射するようになっている。例えば、架け渡し部５４の上面（液晶表示パネル１６とは反対側の面）が発光面６０である。発光面６０が、図１に示す押しボタン１４の下に配置されることで、押しボタン１４を点灯することができる。
【００２６】
第２ライトガイド５２は、液晶表示パネル１６の上面１８に対向する面（下を向く面）に、図２に示すように、遮光層６２を有する。遮光層６２は集積回路チップ２８の上方に位置する。こうすることで、第２ライトガイド５２から集積回路チップ２８に光が入り込むことを防止できるので、集積回路チップ２８の誤動作を防止することができる。
【００２７】
本実施形態によれば、第２発光ダイオード５０を光源として、バックライト３６の他に照明を設けることができる。第２発光ダイオード５０は、バックライト３６の光源となる第１発光ダイオード３８と同じフレキシブル配線基板３４に搭載されるので、部品点数の増加を避けることができ、コストの上昇を抑えることができる。
【００２８】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２９】
１０  タッチパネルインターフェース、１２  筺体、１４  押しボタン、１６  液晶表示パネル、１８  上面、２０  画像表示領域、２２  第１基板、２４  第２基板、２６  突出部、２８  集積回路チップ、３０  下面、３２  偏光板、３４  フレキシブル配線基板、３６  バックライト、３８  第１発光ダイオード、４０  第１ライトガイド、４２  光学シート群、４４  反射シート、４６  内フレーム、４８  両面テープ、５０  第２発光ダイオード、５２  第２ライトガイド、５４  架け渡し部、５６  立ち下げ部、５８  受光面、６０  発光面、６２  遮光層。
【図１】
2012083618.tif 000003
【図２】
2012083618.tif 000004
【図３】
2012083618.tif 000005